(57)【要約】      （修正有）【課題】同期を主動する回線制御装置を使用せず、基地局のみで同期を行う通信が可能で、複数基地局からの同一周波数による無線信号がオーバーリーチするエリアにおける電波干渉をなくすデジタル無線システムを提供する。【解決手段】音声データを移動局に無線送信する第１基地局および第２基地局と、第１基地局のエリア内にいる第１の移動局と、第２基地局のエリア内にいる第２の移動局から構成されたデジタル無線システムにおいて、第１基地局は、第１基地局および第２基地局から移動局への音声データの送信を同期するための同期タイミングを生成し、同期タイミングを第２基地局へ送信した後に、同期タイミングに合わせて、第１の移動局へ音声データを送信する。第２基地局は、第１基地局から受信した同期タイミングに合わせて、第２の移動局へ音声データを送信する。【選択図】図１
2018056884.tif 000002
【特許請求の範囲】
【請求項１】
音声データを移動局に無線送信する第１の基地局および第２の基地局と、前記第１の基地局のエリア内にいる第１の移動局と、前記第２の基地局のエリア内にいる第２の移動局から構成されたデジタル無線システムにおいて、
前記第１の基地局は、前記第１の基地局および前記第２の基地局から前記移動局への音声データの送信を同期するための同期タイミングを生成し、前記同期タイミングを前記第２の基地局へ送信した後に、前記同期タイミングに合わせて、前記第１の移動局へ前記音声データを送信し、
前記第２の基地局は、前記第１の基地局から受信した前記同期タイミングに合わせて、前記第２の移動局へ前記音声データを送信する
ことを特徴とするデジタル無線システム。
【請求項２】
請求項１記載のデジタル無線システムにおいて、
前記第２の基地局のエリア内にいる第３の移動局がそなえられており、
前記第２の基地局は、前記第３の移動局から音声データを受信すると、該音声データを前記第１の基地局へ送信し、
前記第１の基地局は、前記第２の基地局から該音声データを受信すると、前記同期タイミングを生成し、前記同期タイミングを前記第２の基地局へ送信した後に、前記同期タイミングに合わせて、前記第１の移動局へ該音声データを送信し、
前記第２の基地局は、前記第１の基地局から受信した前記同期タイミングに合わせて、前記第２の移動局へ該音声データを送信する
ことを特徴とするデジタル無線システム。
【請求項３】
請求項１または２に記載のデジタル無線システムにおいて、
前記第１の基地局は、前記第１の基地局から前記第２の基地局へ音声データを送信するまでの遅延時間に基づいて、前記同期タイミングを生成する
ことを特徴とするデジタル無線システム。
【発明の詳細な説明】
【技術分野】
【０００１】
本発明は、移動局に対し、複数の基地局から同一周波数の音声データを送信するための各基地局間の送信データのタイミングを一致させるために、ＧＰＳ（Global  Positioning  System）により同期を取って無線送信するデジタル無線システムに関する。
【背景技術】
【０００２】
特許文献１の［図１］には、複数の無線基地局装置Ａ１〜Ａ３と、複数の移動局装置Ｂ１〜Ｂ３と、無線回線制御装置１と、各無線基地局装置Ａ１〜Ａ３に対応した複数ルータ２１〜２３と、無線回線制御装置１に対応したルータ２４と、各無線基地局装置Ａ１〜Ａ３と各ルータ２１〜２３とを接続する回線１１と、無線回線制御装置１とルータ２４とを接続する回線１２と、各ルータ２１〜２４が接続されるＩＰ（Internet  Protocol）ネットワーク網１３を備えたデジタル無線システムが開示されている。
【０００３】
従来、回線制御装置、基地局、移動局およびＩＰ回線網で構成するデジタル無線システムでは、各基地局間の同期は回線制御装置および各基地局にＧＰＳ受信機やタイムサーバを備えることで、基準信号を生成する。
そして、回線制御装置が同期を取るための主装置となり、基準信号に基づいた同期タイミングを各基地局へ送信し、従装置である各基地局は受信した同期タイミングに合わせて移動局へ送信することにより同期を取っている。
【０００４】
そこで、従来のデジタル無線システムの構成について、図８を参照して説明する。図８は、従来のデジタル無線システムの構成の一例を示す図である。
従来のデジタル無線システムは、図８に示すように、遠隔通信装置１０と、回線制御装置１１０と、複数の基地局１３０−１，１３０−２（基地局１３０−１，１３０−２を総称する場合、基地局１３０という）と、複数の移動局３００−１，３００−２（移動局３００−１，３００−２を総称する場合、移動局３００という）と、基地局１３０に対応するＩＰ（Internet  Protocol）ゲートウェイ装置１２０−１，１２０−２（ＩＰゲートウェイ装置１２０−１，１２０−２を総称する場合、ＩＰゲートウェイ装置１２０という）と、遠隔通信装置１０とＩＰゲートウェイ装置１２０が接続されるＩＰ（Internet  Protocol）回線網８０とから構成されている。なお、図８では、ＩＰ回線網８０に接続される基地局１３０とＩＰゲートウェイ装置１２０の組合せを２つとしているが、１つまたは３つ以上接続されるよう構成しても構わない。
【０００５】
遠隔通信装置１０は、ＩＰインターフェースを使用して基地局１３０との間で音声信号の送受信を行う装置であり、例えば電話機等の装置である。
回線制御装置１１０は、システム内での通信を制御する装置であり、送信信号の同期を取るために、同期タイミングを送信する。
基地局１３０は、移動局３００との間で無線信号の送受信を行う。
ＩＰゲートウェイ装置１２０は、ＩＰ回線網８０と基地局１３０とを接続するためのネットワークノードである。
また、ＩＰゲートウェイ装置１２０は、音声信号インターフェースとシリアル信号インターフェースを備え、ＩＰ回線網８０を介して入力された音声アナログ信号を４Ｗ音声アナログ信号や音声シリアル信号に変換したり、または、その逆の変換を行う。
ＩＰ回線網８０は、遠隔通信装置１０と基地局１３０とを接続するためのＩＰネットワークである。
移動局３００は、基地局１３０からの無線信号を送受信する。
【０００６】
次に、基地局１３０の構成について、図８を参照して説明する。
基地局１３０は、ＧＰＳアンテナ３１と、ＧＰＳ受信機３２と、信号処理部１３３と、Ａ／Ｄ・Ｄ／Ａ変換機３４と、コーデック３５と、シリアルドライバ３６と、無線部３７と、送受信アンテナ３８とを含んで構成されている。
ＧＰＳ受信機３２は、ＧＰＳアンテナ３１を介して受信した信号に基づいて、基地局同士で同期を取るための基準信号を生成する。
信号処理部１３３は、ＧＰＳ受信機３２からの基準信号を基に、回線制御装置１１０が送信した同期タイミングに合わせて移動局３００への音声信号の送信処理を行う。
Ａ／Ｄ・Ｄ／Ａ変換機３４は、遠隔通信装置１０から送信された音声信号をアナログ／デジタル変換、または、デジタル／アナログ変換する。
コーデック３５は、符号化方式を使ってデータのエンコード（符号化）とデコード（復号）を双方向に行う。
シリアルドライバ３６は、信号処理部３３で信号処理された音声データを音声シリアル信号に変換したり、ＩＰゲートウェイ装置１２０から入力された音声シリアル信号を音声データに変換する。
無線部３７は、送受信アンテナ３８を介して移動局３００との間で無線信号を送受信する。
【０００７】
次に、従来のデジタル無線システムにおいて、遠隔通信装置１０から移動局３００への音声信号の送信（下り通話）の流れについて説明する。
図８に示すように、遠隔通信装置１０からの音声信号は、回線制御装置１１０とＩＰ回線網８０を経由して、ＩＰゲートウェイ装置１２０に入力され、ＩＰゲートウェイ装置１２０で４Ｗ音声アナログ信号に変換された後、基地局１３０に出力される。基地局１３０では、入力された４Ｗ音声アナログ信号をＡ／Ｄ・Ｄ／Ａ変換機３４、コーデック５５でＡ／Ｄ変換およびエンコード処理を行った後、信号処理部１３３および無線部３７で処理され、送受信アンテナ３８から無線信号として各移動局３００に送信される。図８に示すように、基地局１３０が複数ある場合は、ＩＰ回線網８０でマルチキャスト送信され、複数の基地局１３０が同様の処理を行う。
【先行技術文献】
【特許文献】
【０００８】
【特許文献１】特開２０１０−６８３６６号公報
【発明の概要】
【発明が解決しようとする課題】
【０００９】
しかしながら、図８に示す従来のデジタル無線システムでは、遠隔通信装置１０と複数の移動局３００との間の音声通信（通話）において、回線制御装置１１０が同期を取るための主装置となり、各基地局３００はその同期の従装置となっているため、システムの構築には同期を制御するための回線制御装置１１０が不可欠であった。
【００１０】
本発明は、このような状況に鑑みてなされたものであり、同期を主動するための回線制御装置を使用せず、基地局のみで同期を行う通信が可能となり、複数基地局からの同一周波数による無線信号がオーバーリーチするエリアにおける電波干渉をなくすことが可能なデジタル無線システムを提供することを目的とする。
【課題を解決するための手段】
【００１１】
上記目的を達成するために、本発明のデジタル無線システムは、  音声データを移動局に無線送信する第１の基地局および第２の基地局と、前記第１の基地局のエリア内にいる第１の移動局と、前記第２の基地局のエリア内にいる第２の移動局から構成されたデジタル無線システムにおいて、前記第１の基地局は、前記第１の基地局および前記第２の基地局から前記移動局への音声データの送信を同期するための同期タイミングを生成し、前記同期タイミングを前記第２の基地局へ送信した後に、前記同期タイミングに合わせて、前記第１の移動局へ前記音声データを送信し、前記第２の基地局は、前記第１の基地局から受信した前記同期タイミングに合わせて、前記第２の移動局へ前記音声データを送信することを特徴とする。
【００１２】
また、上記目的を達成するために、本発明のデジタル無線システムは、上記したデジタル無線システムにおいて、前記第２の基地局のエリア内にいる第３の移動局がそなえられており、前記第２の基地局は、前記第３の移動局から音声データを受信すると、該音声データを前記第１の基地局へ送信し、前記第１の基地局は、前記第２の基地局から該音声データを受信すると、前記同期タイミングを生成し、前記同期タイミングを前記第２の基地局へ送信した後に、前記同期タイミングに合わせて、前記第１の移動局へ該音声データを送信し、前記第２の基地局は、前記第１の基地局から受信した前記同期タイミングに合わせて、前記第２の移動局へ該音声データを送信することを特徴とする。
【００１３】
また、上記目的を達成するために、本発明のデジタル無線システムは、上記したデジタル無線システムにおいて、前記第１の基地局は、前記第１の基地局から前記第２の基地局へ音声データを送信するまでの遅延時間に基づいて、前記同期タイミングを生成することを特徴とする。
【発明の効果】
【００１４】
本発明によれば、同期を主動するための回線制御装置を使用せず、基地局のみで同期を行う通信が可能となり、複数基地局からの同一周波数による無線信号がオーバーリーチするエリアにおける電波干渉をなくすことができる。
【図面の簡単な説明】
【００１５】
【図１】本発明の一実施形態に係るデジタル無線システムの構成の一例を示す図である。
【図２】本発明の一実施形態に係るデジタル無線システムにおいて、遠隔通信装置からの下り通話の流れを説明するための説明図である。
【図３】本発明の一実施形態に係るデジタル無線システムにおいて、遠隔通信装置からの下り通話処理のタイミングイメージを示す図である。
【図４】本発明の一実施形態に係るデジタル無線システムにおいて、主基地局受信による上り通話の流れを説明するための説明図である。
【図５】本発明の一実施形態に係るデジタル無線システムにおいて、主基地局受信による上り通話処理のタイミングイメージを示す図である。
【図６】本発明の一実施形態に係るデジタル無線システムにおいて、前進基地局受信による上り通話の流れを説明するための説明図である。
【図７】本発明の一実施形態に係るデジタル無線システムにおいて、前進基地局受信による上り通話処理のタイミングイメージを示す図である。
【図８】従来のデジタル無線システムの構成の一例を示す図である。
【発明を実施するための形態】
【００１６】
以下、本発明の一実施形態に係るデジタル無線システムについて説明する。
本発明の一実施形態に係るデジタル無線システムは、前進基地局で受信した移動局の無線信号がコーデック処理およびＤ／Ａ変換された音声信号としてＩＰ回線網を介して遠隔通話装置、並びに主基地局に入力され、主基地局が無線部を介して他の移動局に対して無線送信を行うと共に、信号処理部で同期を取るためのタイミング信号を付加した後、シリアル信号に変換してＩＰゲートウェイ装置に折り返し、ＩＰ回線網を介して前進基地局に送信され、前進基地局から他の移動局に無線送信されるよう構成することにより、複数基地局から送信される音声信号が同一で、尚且つ同期が取られているため、移動局での受信信号はどの基地局から受信した場合でも同一信号として受信することができる。
【００１７】
［デジタル無線システムの構成］
本発明の一実施形態に係るデジタル無線システムの構成について、図１を参照して説明する。図１は、本発明の一実施形態に係るデジタル無線システムの構成の一例を示す図である。なお、図１において、図８と同様の構成については、同様の部番を付している。
本発明のデジタル無線システムは、図１に示すように、遠隔通信装置１０と、主基地局３０と、前進基地局５０と、複数の移動局３００−１，３００−２，３００−３（移動局３００−１，３００−２，３００−３を総称する場合、移動局３００という）と、主基地局３０に対応するＩＰ（Internet  Protocol）ゲートウェイ装置２０と、前進基地局５０に対応するＩＰゲートウェイ装置４０と、遠隔通信装置１０とＩＰゲートウェイ装置２０，４０が接続されるＩＰ（Internet  Protocol）回線網８０とから構成されている。なお、図１では、前進基地局５０および前進基地局５０に対応するＩＰゲートウェイ装置４０の組合せを一つとしているが、ＩＰ回線網８０に複数組み接続されるよう構成しても構わない。
【００１８】
遠隔通信装置１０は、ＩＰインターフェースを使用して主基地局３０または前進基地局５０との間で音声信号の送受信を行う装置であり、例えば電話機等の装置である。
主基地局３０は、移動局３００との間で無線信号の送受信を行うと共に、移動局３００への音声信号の送信に際し、基地局間で同期を取るための主装置である。
前進基地局５０は、移動局３００との間で無線信号の送受信を行うと共に、主基地局３０からの指示に基づき、移動局３００への音声信号の送信を行う。
ＩＰゲートウェイ装置２０は、ＩＰ回線網８０と主基地局３０を接続するためのネットワークノードである。
ＩＰゲートウェイ装置４０は、ＩＰ回線網８０と前進基地局５０を接続するためのネットワークノードである。
また、ＩＰゲートウェイ装置２０，４０は、音声信号インターフェースとシリアル信号インターフェースを備え、ＩＰ回線網８０を介して入力された音声アナログ信号を４Ｗ音声アナログ信号や音声シリアル信号に変換したり、または、その逆の変換を行う。
ＩＰ回線網８０は、遠隔通信装置１０と、主基地局３０および前進基地局５０とを接続するためのＩＰネットワークである。
移動局３００は、主基地局３０または前進基地局５０からの無線信号を送受信する。
【００１９】
次に、主基地局３０および前進基地局５０の構成について、図１を参照して説明する。
主基地局３０は、ＧＰＳアンテナ３１と、ＧＰＳ受信機３２と、信号処理部３３と、Ａ／Ｄ・Ｄ／Ａ変換機３４と、コーデック３５と、シリアルドライバ３６と、無線部３７と、送受信アンテナ３８とを含んで構成されている。
ＧＰＳ受信機３２は、ＧＰＳアンテナ３１を介して受信した信号に基づいて、基地局同士で同期を取るための基準信号を生成する。なお、本例ではＧＰＳ受信機３２で基準信号を生成しているが、タイムサーバから時刻情報を受信して基準信号を生成してもよい。
信号処理部３３は、ＧＰＳ受信機３２からの基準信号を基に、移動局３００への音声信号送信における同期タイミングの生成および遅延時間の調整を行うと共に、他の基地局への同期タイミングおよび遅延時間の指示を行う。
Ａ／Ｄ・Ｄ／Ａ変換機３４は、遠隔通信装置１０から送信された音声信号をアナログ／デジタル変換、または、デジタル／アナログ変換する。
コーデック３５は、符号化方式を使ってデータのエンコード（符号化）とデコード（復号）を双方向に行う。
シリアルドライバ３６は、信号処理部３３で信号処理された音声データを音声シリアル信号に変換したり、ＩＰゲートウェイ装置２０から入力された音声シリアル信号を音声データに変換する。
無線部３７は、送受信アンテナ３８を介して移動局３００との間で無線信号を送受信する。
【００２０】
また、前進基地局５０は、ＧＰＳアンテナ５１と、ＧＰＳ受信機５２と、信号処理部５３と、Ａ／Ｄ・Ｄ／Ａ変換機５４と、コーデック５５と、シリアルドライバ５６と、無線部５７と、送受信アンテナ５８とを含んで構成されている。
なお、前進基地局５０において、ＧＰＳアンテナ５１はＧＰＳアンテナ３１と、ＧＰＳ受信機５２はＧＰＳ受信機３２と、Ａ／Ｄ・Ｄ／Ａ変換機５４はＡ／Ｄ・Ｄ／Ａ変換機３４と、コーデック５５はコーデック３５と、シリアルドライバ５６はシリアルドライバ３６と、無線部５７は無線部３７と、送受信アンテナ５８は送受信アンテナ３８と、それぞれ機能は同じであるが、信号処理部５３のみ信号処理部３３とは異なる。
信号処理部５３は、ＧＰＳ受信機３２からの基準信号を基に、主基地局が指示した同期タイミングに合わせて移動局３００への音声信号の送信処理を行う。
【００２１】
［遠隔通信装置からの下り通話の流れ］
次に、本発明の一実施形態に係るデジタル無線システムにおいて、遠隔通信装置１０から移動局３００への音声信号の送信（下り通話）の流れについて、図２および図３を用いて説明する。図２は、本発明の一実施形態に係るデジタル無線システムにおいて、遠隔通信装置からの下り通話の流れを説明するための説明図である。また、図３は、本発明の一実施形態に係るデジタル無線システムにおいて、遠隔通信装置からの下り通話処理のタイミングイメージを示す図である。
【００２２】
図２に示すように、遠隔通信装置１０からの音声信号は、ＩＰ回線網８０を経由して、ＩＰゲートウェイ装置２０に入力され、ＩＰゲートウェイ装置２０で４Ｗ音声アナログ信号に変換された後、主基地局３０に出力される。主基地局３０では、入力された４Ｗ音声アナログ信号をＡ／Ｄ・Ｄ／Ａ変換機３４、コーデック３５でＡ／Ｄ変換およびエンコード処理を行い、音声アナログ信号をデジタル音声データとして信号処理部３３へ入力する。
【００２３】
信号処理部３３では、ＧＰＳ受信機３２からの基準信号を基に、音声データが主基地局３０から前進基地局５０へ届くまでの遅延時間を考慮して、主基地局３０及び前進基地局５０から移動局３００へ音声データを送信する同期タイミングを生成する。その後、音声データに音声データを送信する同期タイミングを示すタイミング信号を付加して、シリアルドライバ３６に出力する。さらに、信号処理部３３は、生成した同期タイミングに合わせて、無線部３７へ音声データを送信する。無線部３７は、送受信アンテナ３８から音声データを無線信号として移動局３００−１へ送信する。なお、同期タイミングは、基地局から移動局３００へ送信する毎に、遅延時間を測定して生成するものでもよいし、予め決められた固定値を遅延させたタイミングとして生成するものでもよい。シリアルドライバ３６では、タイミング信号が付加された音声データをシリアル信号に変換し、ＩＰゲートウェイ装置２０に折り返す。ＩＰゲートウェイ装置２０でＩＰ信号に変換された信号は、ＩＰ回線網８０を経由して前進基地局５０に対応するＩＰゲートウェイ装置４０に送信される。ＩＰゲートウェイ装置４０でシリアル音声信号に変換された信号は、前進基地局５０へ入力される。前進基地局５０では、シリアルドライバ３６でシリアル音声信号を音声データに変換し、音声データに付加されたタイミング信号を基に、信号処理部５３で同期処理し、無線部５７を介して送受信アンテナ５８から音声データを無線信号として自局エリアにいる移動局３００−２に送信する。
【００２４】
なお、主基地局３０と前進基地局５０は、それぞれに備えているＧＰＳ受信機３２およびＧＰＳ受信機５２からの基準信号を基に同期しており、図３に示すように、主基地局３０と前進基地局５０にて同じ音声データを同じタイミングで移動局３００−１，３００−２へ送信を行う。主基地局３０では、送ったデータが前進基地局５０へ届くまでの遅延時間を考慮してデータをためておき、送るデータの送信タイミングを一致させる。
つまり、主基地局３０および前進基地局５０から移動局３００−１，３００−２に送信される信号は同一であり、図３に示すように、信号処理部３３および信号処理部５３の各信号処理部で同期が行われており、図３に示す移動局３００−１，３００−２での受信信号は、主基地局３０または前進基地局５０の何れの基地局から受信しても同一信号として受信をするため、複数基地局から同時受信をしても電波干渉することはない。
【００２５】
［主基地局受信による上り通話の流れ］
次に、本発明の一実施形態に係るデジタル無線システムにおいて、移動局３００−１からの音声信号を主基地局３０が受信し、遠隔通信装置１０および他の移動局３００−１，３００−２へ音声信号を送信する（上り通話）流れについて、図４および図５を用いて説明する。図４は、本発明の一実施形態に係るデジタル無線システムにおいて、主基地局受信による上り通話の流れを説明するための説明図である。また、図５は、本発明の一実施形態に係るデジタル無線システムにおいて、主基地局受信による上り通話処理のタイミングイメージを示す図である。
【００２６】
図４に示すように、主基地局３０の送受信アンテナ３８で受信した移動局３００−１からの無線信号は、主基地局３０内の無線部３７で復調され、音声データとして信号処理部３３に入力される。信号処理部３３では、ＧＰＳ受信機５２からの基準信号を基に、主基地局３０から前進基地局５０へ音声データが届くまでの遅延時間を考慮して、主基地局３０及び前進基地局５０から移動局３００へ音声データを送信する同期タイミングを生成する。信号処理部３３は、生成した同期タイミングに合わせて、無線部３７へ音声データを送信する。無線部３７は、送受信アンテナ３８から音声データを無線信号として移動局３００−２へ送信する。
また、信号処理部３３からコーデック３５、Ａ／Ｄ・Ｄ／Ａ変換機３４でデコード処理およびＤ／Ａ変換された音声信号はＩＰゲートウェイ装置２０に入力され、ＩＰ回線網８０を経由して遠隔通話装置１０に送信される。
また、信号処理部３３では、移動局３００−１から送信された音声データにタイミング信号を付加して、シリアルドライバ３６に出力する。シリアルドライバ３６では、タイミング信号が付加された音声データをシリアル信号に変換し、ＩＰゲートウェイ装置２０に出力する。ＩＰゲートウェイ装置２０でＩＰ信号に変換された信号は、ＩＰ回線網８０を経由して前進基地局５０に対応するＩＰゲートウェイ装置４０に送信される。ＩＰゲートウェイ装置４０でシリアル音声信号に変換された信号は、前進基地局５０へ入力される。前進基地局５０では、シリアルドライバ３６でシリアル音声信号を音声データに変換し、音声データに付加されたタイミング信号を基に、信号処理部５３で同期処理し、無線部５７を介して送受信アンテナ５８から音声データを無線信号として自局エリアにいる移動局３００−３に送信する。
【００２７】
なお、主基地局３０と前進基地局５０は、それぞれに備えているＧＰＳ受信機３２およびＧＰＳ受信機５２からの基準信号を基に同期しており、図５に示すように、主基地局３０と前進基地局５０にて同じ音声データを同じタイミングで移動局３００−２，３００−３へ送信を行う。主基地局３０では、送ったデータが前進基地局５０へ届くまでの遅延時間を考慮してデータをためておき、送るデータの送信タイミングを一致させる。
つまり、主基地局３０および前進基地局５０から移動局３００−２，３００−３に送信される信号は同一であり、図５に示すように、信号処理部３３および信号処理部５３の各信号処理部で同期が行われており、図５に示す移動局３００−２，３００−３での受信信号は、主基地局３０または前進基地局５０の何れの基地局から受信しても同一信号として受信をするため、複数基地局から同時受信をしても電波干渉することはない。
【００２８】
［前進基地局受信による上り通話の流れ］
次に、本発明の一実施形態に係るデジタル無線システムにおいて、移動局３００−３からの音声信号を前進基地局５０が受信し、遠隔通信装置１０および他の移動局３００−１，３００−２へ音声信号を送信する（上り通話）流れについて、図６および図７を用いて説明する。図６は、本発明の一実施形態に係るデジタル無線システムにおいて、前進基地局受信による上り通話の流れを説明するための説明図である。また、図７は、本発明の一実施形態に係るデジタル無線システムにおいて、前進基地局受信による上り通話処理のタイミングイメージを示す図である。
【００２９】
図６に示すように、前進基地局５０の送受信アンテナ５８で受信した移動局３００−３の無線信号は、無線部５７、信号処理部５３を経由して、コーデック５５、Ａ／Ｄ・Ｄ／Ａ変換機５４でデコード処理およびＤ／Ａ変換された音声信号として、ＩＰゲートウェイ装置４０に入力され、ＩＰ回線網８０を経由し、遠隔通話装置１０およびＩＰゲートウェイ装置２０に送信される。その後は、図２の下り通話の流れと同様に、主基地局３０では、ＩＰゲートウェイ装置２０から入力された４Ｗ音声アナログ信号をＡ／Ｄ・Ｄ／Ａ変換機３４、コーデック３５でＡ／Ｄ変換およびエンコード処理を行い、音声アナログ信号をデジタル音声データとして信号処理部３３へ入力する。
【００３０】
また、信号処理部３３では、ＧＰＳ受信機３２からの基準信号を基に、音声データが主基地局３０から前進基地局５０へ届くまでの遅延時間を考慮して、主基地局３０及び前進基地局５０から移動局３００へ音声データを送信する同期タイミングを生成する。その後、前進基地局５０から送信された音声データに音声データを送信する同期タイミングを示すタイミング信号を付加して、シリアルドライバ３６に出力する。さらに、信号処理部３３は、生成した同期タイミングに合わせて、無線部３７へ音声データを送信する。無線部３７は、送受信アンテナ３８から音声データを無線信号として移動局３００−１へ送信する。シリアルドライバ３６では、タイミング信号が付加された音声データをシリアル信号に変換し、ＩＰゲートウェイ装置２０に出力する。ＩＰゲートウェイ装置２０でＩＰ信号に変換された信号は、ＩＰ回線網８０を経由して再度前進基地局５０に対応するＩＰゲートウェイ装置４０に送信される。ＩＰゲートウェイ装置４０でシリアル音声信号に変換された信号は、前進基地局５０へ入力される。前進基地局５０では、シリアルドライバ３６でシリアル音声信号を音声データに変換し、音声データに付加されたタイミング信号を基に、信号処理部５３で同期処理し、無線部５７を介して送受信アンテナ５８から音声データを無線信号として自局エリアにいる移動局３００−２に送信する。
【００３１】
なお、主基地局３０と前進基地局５０は、それぞれに備えているＧＰＳ受信機３２およびＧＰＳ受信機５２からの基準信号を基に同期しており、図７に示すように、主基地局３０と前進基地局５０にて同じ音声信号を同じタイミングで移動局３００−１，３００−２へ送信を行う。主基地局３０では、送ったデータが前進基地局５０へ届くまでの遅延時間を考慮してデータをためておき、送るデータの送信タイミングを一致させる。
つまり、前進基地局５０および主基地局３０から送信される信号は同一であり、図７に示すように、信号処理部５３および信号処理部３３の各信号処理部で同期が行われており、図７に示す移動局３００−２，３００−３での受信信号は、前進基地局５０または主基地局３０の何れの基地局から受信しても同一信号として受信をするため、複数基地局から同時受信をしても電波干渉することはない。
【００３２】
上述したように、本発明の一実施形態に係るデジタル無線システムによれば、同期を主動するための回線制御装置を使用せず、基地局のみで同期を行う通信が可能となり、複数基地局からの同一周波数による無線信号がオーバーリーチするエリアにおける電波干渉をなくすことができる。
【００３３】
なお、上記した実施形態の構成及び動作は例であって、本発明の趣旨を逸脱しない範囲で適宜変更して実行することができることは言うまでもない。
【産業上の利用可能性】
【００３４】
本発明は、移動局に対し、複数の基地局から同一周波数の音声データを送信するための各基地局間の送信データのタイミングを一致させるために、ＧＰＳ（Global  Positioning  System）により同期を取って無線送信するデジタル無線システムに適用される。
【符号の説明】
【００３５】
１０：遠隔通信装置、２０：ＩＰゲートウェイ装置、３０：主基地局、３１：ＧＰＳアンテナ、３２：ＧＰＳ受信機、３３：信号処理部、３４：Ａ／Ｄ・Ｄ／Ａ変換機、３５：コーデック、３６：シリアルドライバ、３７：無線部、３８：送受信アンテナ、４０：ＩＰゲートウェイ装置、５０：前進基地局、５１：ＧＰＳアンテナ、５２：ＧＰＳ受信機、５３：信号処理部、５４：Ａ／Ｄ・Ｄ／Ａ変換機、５５：コーデック、５６：シリアルドライバ、５７：無線部、５８：送受信アンテナ、８０：ＩＰ回線網、１１０：回線制御装置、１２０，１２０−１，１２０−２：ＩＰゲートウェイ装置、１３０，１３０−１，１３０−２：基地局、１３３：信号処理部、３００，３００−１，３００−２，３００−３：移動局。
【図１】
2018056884.tif 000003
【図２】
2018056884.tif 000004
【図３】
2018056884.tif 000005
【図４】
2018056884.tif 000006
【図５】
2018056884.tif 000007
【図６】
2018056884.tif 000008
【図７】
2018056884.tif 000009
【図８】
2018056884.tif 000010